(57)【特許請求の範囲】
【請求項１】
丸編み機により編成された筒状編地で左右の脚部を形成し縫製により一体化するボトムウェアの製造方法であって、当該ボトムウェアの一部に伸縮抑制編地部分を形成するにあたり、屈伸運動時に伸びる側となる関節部分の編地を除く少なくとも一部分の編地の編成時に、当該編地部分を編成する編針に、表側に現れる捲縮糸と裏側に現れるＦＴＹ等の弾性糸とさらにその内側に熱溶融接着糸を挿入して、前記表側に現れる捲縮糸と裏側に現れるＦＴＹ等の弾性糸とさらにその内側の熱溶融接着糸とで伸縮抑制編地部分の編目を形成して筒状に編成した後、当該筒状編地を縫製によりボトムウェアに成型する前に、または当該筒状編地を縫製によりボトムウェアに成型した後に熱処理することにより、熱溶融接着糸を溶融して当該部分の編地を形成する弾性糸で形成された編地の組織を固結して、伸縮抑制編地部分を形成するようにしたことを特徴とするボトムウェアの製造方法。
【請求項２】
丸編み機により編成された筒状編地で左右の脚部を形成し縫製により一体化されたボトムウェアであって、当該ボトムウェアの一部に伸縮抑制編地部分を形成したものであって、この伸縮抑制編地部分は、屈伸運動時に伸びる側となる関節部分の編地を除く少なくとも一部分の編地の編成時に、表側現れる捲縮糸と裏側に現れるＦＴＹ等の弾性糸からなる編糸と、この編糸に加えてその内側に挿入した熱溶融接着糸とで編地部分の編目が形成され、筒状編地の内側に位置する熱溶融接着糸が熱処理により溶融し、周辺の表側に現れる捲縮糸及び裏側に現れるＦＴＹ等の弾性糸で編成された筒状の編地の組織が固結されて伸縮抑制編地部分が形成されていることを特徴とするボトムウェア。
【発明の詳細な説明】
【技術分野】
【０００１】
本発明は主として丸編機で編成されるボトムウェアであって、特にスポーツ用のアンダーウェアとして使用されるボトムウェアに関するものである。
【背景技術】
【０００２】
近年スポーツ用のボトムウェアとして脚の筋肉を部分的に押圧することにより、運動性を高めるようにしたものが種々提案されている。
その例として特許文献１に記載されているように、筋肉を押圧する編地部分に樹脂やラバー−を貼着するようにしたものや、カットボスにより補強された編地部分を形成するようにしたもの（特許文献２）が知られている。
【０００３】
ところが、筋肉を押圧する編地部分に樹脂やラバーを貼着するようにしたものでは、樹脂やラバーの貼着作業に手かがかかり、生産性が低下し高価になるだけでなく、樹脂やラバーを表面に貼着したものでは見栄えが悪く商品価値が低くなるという問題があった。
【０００４】
一方、カットボスにより補強された編地部分を形成するようにしたものでは、渡り糸部分をカットする作業手間を要し、生産性が低下し高価になるだけでなく、カットされた渡り糸部分が無駄な糸となり、歩留まりが悪くなると言う問題があった。
【特許文献１】特開２００３−２８６６０６号公報
【特許文献２】特開２００１−２１４３０３号公報
【発明の開示】
【発明が解決しようとする課題】
【０００５】
本発明は、スポーツ用のボトムウェア等のボトムウェアとして、脚の筋肉を部分的に押圧することにより、運動性を高めることができ、見た目も美しい商品価値の高いボトムウェアを簡単で安価に提供することができるようにすることを目的とするものである。
【課題を解決するための手段】
【０００６】
上記のような目的を達成するために、本発明に係るボトムウェアの製造方法は、丸編み機により編成された筒状編地で左右の脚部を形成し縫製により一体化するボトムウェアの製造方法であって、当該ボトムウェアの一部に伸縮抑制編地部分を形成するにあたり、屈伸運動時に伸びる側となる関節部分の編地を除く少なくとも一部分の編地の編成時に、当該編地部分を編成する編針に、表側に現れる捲縮糸と裏側に現れるＦＴＹ等の弾性糸とさらにその内側に熱溶融接着糸を挿入して、前記表側に現れる捲縮糸と裏側に現れるＦＴＹ等の弾性糸とさらにその内側に熱溶融接着糸とで伸縮抑制編地部分の編目を形成して筒状に編成した後、当該筒状編地を縫製によりボトムウェアに成型する前に、または当該筒状編地を縫製によりボトムウェアに成型した後に熱処理することにより、熱溶融接着糸を溶融して当該部分の編地を形成する弾性糸で形成された編地の組織を固結して、伸縮抑制編地部分を形成するようにしたことを最も主要な特徴とするものである。
【０００７】
本発明にかかるボトムウェアは、丸編み機により編成された筒状編地で左右の脚部を形成し縫製により一体化されたボトムウェアであって、当該ボトムウェアの一部に伸縮抑制編地部分を形成したものであって、この伸縮抑制編地部分は、屈伸運動時に伸びる側となる関節部分の編地を除く少なくとも一部分の編地の編成時に、表側現れる捲縮糸と裏側に現れるＦＴＹ等の弾性糸からなる編糸と、この編糸に加えてその内側に挿入した熱溶融接着糸とで編地部分の編目が形成され、筒状編地の内側に位置する熱溶融接着糸が熱処理により溶融し、周辺の表側に現れる捲縮糸及び裏側に現れるＦＴＹ等の弾性糸で編成された筒状の編地の組織が固結されて伸縮抑制編地部分が形成されていることを最も主要な特徴とするものである。
【発明の効果】
【０００８】
本発明によれば、筒状編地を縫製により一体化してなるボトムウェアの屈伸運動時に伸びる側となる関節部分の編地を除く少なくとも一部分の編地の編成時に、編地編成用弾性糸とともに熱溶融接着糸を挿入して筒状に編成した後、当該筒状編地を縫製によりボトムウェアに成型する前に、または当該筒状編地を縫製によりボトムウェアに成型した後に熱処理することにより、熱溶融接着糸を溶融して当該部分の編地を形成する弾性糸で形成された編地の組織を固結して、腹筋と背筋のバランスを保ち、アキレス腱から、脹脛部分の血行を確保する為の筋肉を押圧する伸縮抑制編地部分を形成するようにしてあるので、例えばボトムウェアが、スポーツ用のボトムウェア（アンダーウェア）では、腹筋と背筋のバランスを保ちながら、アキレス腱から、脹脛部分の血行を確保することができる。
これにより、脹脛部分の血流が滞って、膨れると更に血行が悪くなり足の運動性が一段と損なわれてしまうという従来の問題を解消することができる。
【０００９】
また、筋肉を押圧する必要がある部位の編地を編成する際に、その給糸中に挿入した熱溶融接着糸を熱処理により溶融され、その近傍の編糸を接着して固定するので、従来のもののように編成筋肉を押圧する編地部分に貼着された樹脂やラバーが表れず見栄えが良く商品価値の高いものにすることができる利点もある。
【００１０】
更に、従来のカットボスにより補強された編地部分を形成するようにしたものと異なり、給糸中に挿入した熱溶融接着糸を熱処理により溶融され、その近傍の編糸を接着して固定するので、渡り糸部分をカットするような作業手間のなく、生産性を高めて、見た目も美しい商品価値の高いボトムウェアを簡単で安価に提供することができる。
【発明を実施するための最良の形態】
【００１１】
上記目的を達成するための本発明にかかるボトムウェアの好ましい実施に形態を図面に基づいて詳述する。
【実施例１】
【００１２】
図１は本発明にかかるスポーツ用のボトムウェアであるアンダーウェア（所謂タイツ）の正面図、図２はその背面図であって、図中符号１はアンダーウェアを全体的に示す。
このアンダーウェア１は、左右の脚部パーツ２ａ・２ｂと、この脚部パーツ２ａ・２ｂを合体させた股間部に介在させたマチ部３の三部材とからなる。
【００１３】
上記脚部パーツ２ａ・２ｂの夫々は、丸編機により筒状に形成したもので、本例における丸編機は図３に示すように回転シリンダ４に対してヤーンフィーダ（給糸口）５を４個設け、シリンダの１回転で４コースの編成が行える生産性の高いものとなっており、各ヤーンフィーダ５の近傍には後述する熱溶融接着糸のカットされた端部を吸引して保持する保持部６が設けられている。
【００１４】
そして、上記脚部パーツ２ａ・２ｂの夫々は、筋肉を押圧するために伸びが抑制された編地部分Ａと、例えば屈伸運動時に伸びる側となる関節部分７や筋肉の緒押圧が不要な部分８等の伸縮が自由な編地部分Ｂとからなり、足首部分９から腰部分１０に向けて編成される場合、先ず、足首部分９の端部から所定の編目数で編み出しが行なわれ、適宜締め込み部Ｃを形成しながら編成される。
脹脛部分１１では徐々に若しくは段階的に編目数を増やして脚部パーツ２ａ・２ｂの筒状編地の口径を拡大するとともに、ひざ関節部分１２から股関節部分１３を介して編み終わりとなる腰部分（履き口）１０まで筒状に形成される。
編み終わりの腰部分１０の編地は、パール編み（ガータ編み）にするとともに、その編地の終端縁を筒状編地の内面に縫着することにより、断面が筒状の紐通し部（ベルト部）１４が形成される。
【００１５】
上記のようにして筒状に形成される脚部パーツ２ａ・２ｂの屈伸運動時に伸びる側となる関節部分７等の伸縮が自由な編地部分Ｂは、図４Ａに示すようにシリンダ４の編針１５に表側に現れる編糸１６と裏側（筒状編地の内方側）に表れる編糸１７とが供給されて編成される。この表側または裏側に現れる両編糸１６・１７は、捲縮糸やＦＴＹ等の弾性糸からなる編糸が使用される。
そして、筋肉を押圧するために伸びが抑制される編地部分Ａを編成する編糸は、図４Ｂに示すように上記表側または裏側に現れる捲縮糸やＦＴＹ等の弾性糸からなる編糸１６・１７に加えて、熱溶融接着糸１８が加えられる。
上記熱溶融接着糸１８の挿入密度は連続して挿入してもよいし、所定間隔置きに挿入することができるのはいうまでもないことである。
この熱溶融接着糸１８としては、例えば東レ株式会社商品名「エルダー（登録商標）糸」がある。
【００１６】
編成が、筋肉を押圧するために伸びが抑制された編地部分Ａから屈伸運動時に伸びる側となる関節部分７や筋肉の押圧が不要な部分８等の伸縮が自由な編地部分Ｂになると、熱溶融接着糸１８が図外の切断手段で切断され、その端部は保持部６に吸引して保持される。
筒状に編成された脚部パーツ２ａ・２ｂの筒状編地が丸編み機から払い落とされて成型のために加熱されると、表側または裏側に現れる捲縮糸やＦＴＹ等の弾性糸からなる編糸１６・１７とともに給糸された熱溶融接着糸１８が溶融し、周辺の表側または裏側に現れる捲縮糸やＦＴＹ等の弾性糸１６・１７で編成された編地の組織を接着して固定する。
【００１７】
斯くして溶融した熱溶融接着糸１８が脚部パーツ２ａ・２ｂの筒状編地の内外に現れることがなく、捲縮糸やＦＴＹ等の弾性糸からなる編地の組織が熱溶融接着糸１８の溶融でしっかりと固定されるので、見た目もきれいな編地で商品価値も高いものとなる。
然る後、２つの脚部パーツ２ａ・２ｂの筒状編地の一側部分を切り開き、この切り開かれた部分同士を対面させ、下端部分にマチ部３用の編地を介在させた状態で縫製すると、スポーツ用のボトムウェアであるアンダーウェア（所謂タイツ）１が完成する。
【００１８】
尚、上記実施の形態では、脚部パーツ２ａ・２ｂの筒状編地が編成された後の成型時に熱溶融接着糸１８を溶融して当該部分の編地組織を接着して固定するようにしてあるが、こうしたものに限られず、縫製後のヒートセット時に熱溶融接着糸１８を溶融して当該部分の編地組織を接着して固定したり、染色等の後処理工程で熱溶融接着糸１８を溶融して編地組織を接着して固定するようにしてもよいことはもちろんのことである。
また、上記本発明はスポーツ用のボトムウェアだけに限られず、矯正用の下着に実施することができるのは勿論のことである。
【図面の簡単な説明】
【００１９】
【図１】は本発明にかかるスポーツ用のボトムウェアであるタイツの正面図である。
【図２】は本発明にかかるスポーツ用のボトムウェアであるタイツの背面図である。
【図３】は本発明にかかるスポーツ用のボトムウェアを編成する丸編機の作用を示す概略図である。
【図４】は本発明にかかるスポーツ用のボトムウェアを編成する丸編機の編針への給糸状態を示す側面図である。
【符号の説明】
【００２０】
１・・・アンダーウェア
２ａ・２ｂ・・・脚部パーツ（筒状編地）
７・・・関節部分
１６・１７・・・編糸
１８・・・熱溶融接着糸
Ａ・・・筋肉を押圧するために伸びが抑制された編地部分
Ｂ・・・関節部分７筋肉の緒押圧が不要な部分
【図１】
0004510775.tif 000002
【図２】
0004510775.tif 000003
【図３】
0004510775.tif 000004
【図４】
0004510775.tif 000005